(57)【特許請求の範囲】
【請求項１】
左右一対をなす脚体同士を連結する連結杆が設けられる家具の脚体において、
前記家具は、脚体の上部にブラケットが左右方向を向く軸心回りに枢支され、該ブラケットを天板の下面に連結して該天板を支持するとともに、該天板が水平をなす使用位置と起立する折り畳み位置との間で回動可能となっている折り畳みテーブルで構成され、
前記脚体の上面には、壁部と該壁部により囲まれた中空部に通じる上面開口部が形成され、該上面開口部から前記中空部に、雌ネジ部材を回動不能に配置する配置部材が挿入されるとともに、前記壁部に、前記雌ネジ部材に螺合される雄ネジ部材が挿通される挿通孔が形成されており、前記連結杆の端部に連結されて前記脚体の長手方向に延びる連結部材に、前記雄ネジ部材が挿通される挿通孔が形成され、該連結部材と前記雌ネジ部材とで前記壁部を挟持した状態で、前記雄ネジ部材が前記雌ネジ部材に締結されるようになっており、
前記配置部材の上部は、前記上面開口部を閉塞する閉塞部となっており、該閉塞部は、前記上面開口部から上方に突出されるとともに、前記ブラケットは、前記使用位置から前記折り畳み位置に至るまで、前記閉塞部を隠蔽または前記閉塞部に近接する前面板を有することを特徴とする家具の脚体。
【請求項２】
前記閉塞部は、その前側に上方に起立する起立片を有する側面視略Ｌ字形状をなし、前記折り畳み位置にて、前記起立片の上端と前記前面板の下端とが近接されることを特徴とする請求項１に記載の家具の脚体。
【請求項３】
前記天板は、前記起立片よりも後方側の位置で前記脚体に枢支されることを特徴とする請求項２に記載の家具の脚体。
【発明の詳細な説明】
【技術分野】
【０００１】
本発明は、左右一対をなす脚体同士を連結する連結杆が設けられる家具の脚体に関する。
【背景技術】
【０００２】
従来、オフィス等で使用されるテーブル（家具）には、天板の下方で左右の脚体を連結する横杆（連結杆）を有するものがある（例えば、特許文献１参照）。
【先行技術文献】
【特許文献】
【０００３】
【特許文献１】特開２００６−１０２０１２号公報（第４頁、第４，５図）
【発明の概要】
【発明が解決しようとする課題】
【０００４】
しかしながら、特許文献１のテーブル（家具）にあっては、脚体に形成された挿通孔に挿通されたボルト（雄ネジ部材）によって横杆（連結杆）とを連結しており、このボルトを締め付けた際に、丸パイプ等で構成される脚体が潰れる方向に応力が加わるようになり、この応力が残留することにより脚体の挿通孔近傍に金属疲労等が発生してしまうという問題がある。
【０００５】
本発明は、このような問題点に着目してなされたもので、雄ネジ部材を挿通させる脚体の挿通孔近傍に応力が残留すること防止し、脚体の耐久性を向上させることができる家具の脚体を提供することを目的とする。
【課題を解決するための手段】
【０００６】
前記課題を解決するために、本発明の家具の脚体は、
前記家具は、脚体の上部にブラケットが左右方向を向く軸心回りに枢支され、該ブラケットを天板の下面に連結して該天板を支持するとともに、該天板が水平をなす使用位置と起立する折り畳み位置との間で回動可能となっている折り畳みテーブルで構成され、
前記脚体の上面には、壁部と該壁部により囲まれた中空部に通じる上面開口部が形成され、該上面開口部から前記中空部に、雌ネジ部材を回動不能に配置する配置部材が挿入されるとともに、前記壁部に、前記雌ネジ部材に螺合される雄ネジ部材が挿通される挿通孔が形成されており、前記連結杆の端部に連結されて前記脚体の長手方向に延びる連結部材に、前記雄ネジ部材が挿通される挿通孔が形成され、該連結部材と前記雌ネジ部材とで前記壁部を挟持した状態で、前記雄ネジ部材が前記雌ネジ部材に締結されるようになっており、
前記配置部材の上部は、前記上面開口部を閉塞する閉塞部となっており、該閉塞部は、前記上面開口部から上方に突出されるとともに、前記ブラケットは、前記使用位置から前記折り畳み位置に至るまで、前記閉塞部を隠蔽または前記閉塞部に近接する前面板を有することを特徴としている。
この特徴によれば、雄ネジ部材を締め付けた際に、脚体の壁部が連結部材と雌ネジ部材とで挟持されて連結力を向上できるばかりか、雄ネジ部材の締め付けにより中空状の脚体が潰れたり変形されたりする虞がなくなり、脚体の挿通孔近傍に応力が残留すること防止し、脚体の耐久性を向上させることができる。
【０００９】
本発明の家具の脚体は、
前記閉塞部は、その前側に上方に起立する起立片を有する側面視略Ｌ字形状をなし、前記折り畳み位置にて、前記起立片の上端と前記前面板の下端とが近接されることを特徴としている。
この特徴によれば、天板が折り畳み位置にあるときに、起立片と前面板との間に異物を挟んでしまう虞がなくなるとともに、起立片と前面板とが一体的に連設される態様となり、脚体上部周辺の見栄えが向上される。
【００１０】
本発明の家具の脚体は、
前記天板は、前記起立片よりも後方側の位置で前記脚体に枢支されることを特徴としている。
この特徴によれば、天板を枢支する軸心を構成する部材等を起立片により保護することができる。
【図面の簡単な説明】
【００１１】
【図１】本発明の折り畳みテーブルの斜視図である。
【図２】図１のII−II線に沿う縦断側面図である。
【図３】同じく、天板を折り畳み位置に起立させたときの縦断側面図である。
【図４】連結部材の拡大縦断側面図である。
【図５】図４のV−V線に沿う拡大縦断側面図である。
【図６】図４のVI−VI線に沿う拡大縦断側面図である。
【図７】（ａ）は、図４のA−A線に沿う拡大縦断端面図であり、（ｂ）は、図４のB−B線に沿う拡大縦断端面図である。
【図８】ブラケットと脚体を示す分解斜視図である。
【図９】ブラケットと脚体を示す拡大縦断側面図であり、（ａ）は、天板が使用位置にあるときの状態を示し、（ｂ）は、天板が折り畳み位置にあるときの状態を示す。
【発明を実施するための形態】
【００１２】
本発明に係る家具の脚体を実施するための形態を実施例に基づいて以下に説明する。
【実施例】
【００１３】
図１は、本発明が適用された実施例における家具としての折り畳みテーブルを斜め前方より見た斜視図である。以下、図２から図４及び図９の紙面左側をテーブル１の正面側（前方側）とし、図５から図７の紙面左側をテーブル１の外方側として説明する。この折り畳みテーブル１は、上端部の対向面同士が連結杆２により連結された左右１対の脚体３、３と、両脚体３の上端部に回動可能に取り付けられた左右１対のブラケット４、４に、水平をなす使用位置と脚体３の後側において起立する折り畳み位置との間を回動しうるように取り付けられた天板５と、を備えている。
【００１４】
左右の脚体３、３は、斜め前上方を向いて傾斜する上下方向の後脚６と、その上下方向の中間部の外側面に、側面視ほぼ「人」の字状をなすように上端部（後端部）が固着された斜め前下方を向く前脚７とからなり、後脚６と前脚７の下端には、キャスタ８が取り付けられている。
【００１５】
図１のII−II線に沿う拡大縦断側面図である図２及び図３に示すように、左右のブラケット４には、天板５の左右方向（水平方向）を向く回動軸９が設けられ、この回動軸９によりブラケット４が回動自在に支持されている。なお、ブラケット４は、後述するロックレバー１２と連結部材１０との連係状態を分かり易くするために、２点鎖線で示してある。脚体３における後脚６の内側面の上端部には、連結部材１０が固着されており、この連結部材１０に対して、前述した連結杆２の両側端部が固着されている。
【００１６】
左右のブラケット４のやや前方寄りの上端部には、左右方向を向く作動軸１１の両側端部が回動可能に支持され、この作動軸１１の両側端部に形成された角軸部１１ａには、天板５を使用位置にロックしたり、ロックを解除したりする係合手段としてのロックレバー１２の上端部が、相対回動不能に嵌合されている。
【００１７】
また、角軸部１１ａにおける左右のブラケット４より突出する軸端部には、左右１対の操作装置１３が回動不能に取り付けられている。なお、ロックレバー１２が設けられる左右のブラケット４及び連結部材１０が設けられる左右の脚体３は、左右対称で同一構造であるので、以下の説明は、左方の脚体３及びブラケット４についてのみ行なう。
【００１８】
図４に示すように、操作装置１３は、前後方向に長い平板状の操作部１４と、その後端部に連設された斜め後上方を向く厚肉の基端部１５の上端部前面に、操作部１４の上面と離間して対向するように連設された弾性変形可能な可撓部１６と、を備え、全体がポリアミド系の合成樹脂により一体成形されている。基端部１５には、作動軸１１の角軸部１１ａが圧嵌される四角形の軸孔１７が形成されている。
【００１９】
操作部１４の前端には、上端（先端）が天板５の下面に当接することにより、操作部１４の最大上向き回動量を規制するストッパ部１８が、上向きに連設されている。なお、可撓部１６の前後寸法は、その前端部下面にストッパ部１８の上端が当接しない長さとしてある。
【００２０】
操作部１４の中央部上面には、前後方向を向き、かつ前後両端が基端部１５とストッパ部１８との対向面に結合された補強片１９が、一体的に上向き突設され、操作部１４の撓み剛性を高めて、可撓部１６のみを効果的に弾性変形させうるようにしてある。
【００２１】
図２に示すように、操作装置１３の基端部１５は、可撓部１６の前端部上面が天板５の下面に圧接するように、初期付勢力が付与された状態で作動軸１１に連結されている。従って、操作部１４は、可撓部１６の弾性反発力により下方（反時計方向）に付勢され、原位置に保持されている。
【００２２】
また、同じく角軸部１１ａに回動不能に嵌合されているロックレバー１２も、可撓部１６の弾性反発力により反時計方向に付勢され、定位置であるロック位置に保持されている。これにより、ロックレバー１２の下端部の上面に形成された円弧状のロック溝２０が、連結部材１０の内側面に突設された下方側のロックピン２１と係合し、天板５は使用位置に回動不能にロックされている。
【００２３】
天板５が使用位置の状態で、可撓部１６を弾性変形させつつ操作部１４を上向きに回動操作すると、作動軸１１と共にロックレバー１２が時計方向に回動し、定位置から作動位置まで回動させられることにより、ロックレバー１２のロック溝２０がロックピン２１より離脱する。これにより、天板５のロックが解除されて回動可能となり、天板５を折り畳み位置まで上向きに回動させることができる。
【００２４】
図３に示すように、天板５が折り畳み位置の状態で、操作部１４から手を離すと、可撓部１６の弾性反発力により、操作部１４と共にロックレバー１２が元の定位置まで回動させられることにより、ロックレバー１２のロック溝２０が連結部材１０の上端部に設けられたロックピン２１と係合し、天板５は折り畳み位置に回動不能にロックされる。
【００２５】
天板５の折り畳み位置において、再度操作部１４を回動操作してロックを解除して回動可能とし、天板５を水平位置まで回動させて操作部１４から手を離すと、可撓部１６の弾性反発力により、操作部１４と共にロックレバー１２が反時計方向に回動させられ、ロックレバー１２のロック溝２０が下部のロックピン２１と係合するため、天板５は使用位置に回動不能にロックされる。なお、係合手段としてのロックレバー１２が係脱される上下２つのロックピン２１と、このロックピン２１が設けられた連結部材１０と、が本実施例のロック手段を構成している。
【００２６】
次に、ブラケット４及び連結部材１０について詳述する。図４に示すように、連結部材１０は、脚体３の長手方向に延び、その下部が脚体３とほぼ同じ前後寸法を有するとともに、その上部が上方に幅が広がる幅広形状となっている。なお、ブラケット４とロックレバー１２は、後述するブラケット４と連結部材１０との連結状態を分かり易くするために、２点鎖線で示してある。
【００２７】
この連結部材１０は、左右一対の板部材２２，２３が接合された略板状をなしている（図７（ａ）参照）。更に、左右の板部材２２，２３は、その縁辺が屈曲されており、一方の板部材２３に他方の板部材２２が嵌合されるとともに、両板部材２２，２３の縁辺同士が溶接されることにより接合される。
【００２８】
図５に示すように、ブラケット４は、天板５の下面に連結されて水平に延設される略板状をなす水平片２４と、この水平片２４から下向きに延設される略板状をなす下向き片２５と、を有し、縦断正面視で略Ｌ字形状をなしている。なお、脚体３は、２点鎖線で示してある。また、連結部材１０の上面は、略水平をなす水平面１０ａ（当接面）となっている。天板５が使用位置にあるときに、ブラケット４の水平片２４の下面が連結部材１０の水平面１０ａに当接されるようになっている。
【００２９】
このブラケット４は、下向き片２５から水平方向（外側方）に突出する突出部２６が形成されている。この突出部２６は、略円筒形状をなして下向き片２５から突出されており、その直径が突出寸法よりも大きくなっている。なお、突出部２６は、プレス加工等により下向き片２５に一体的に形成されている。また、連結部材１０の上部には、肉厚が薄い薄肉部１０ｂが形成され、この薄肉部１０ｂに、ブラケット４の突出部２６が嵌合される円形状の嵌合孔２７が開口されている。
【００３０】
この嵌合孔２７は、突出部２６の外径と略同一の内径を有している。また、連結部材１０を構成する左右の板部材２２，２３には、対応する円形状をなす円形開口部２８，２９が形成されており、両板部材２２，２３が接合されたときに両円形開口部２８，２９が嵌合孔２７となる。また、前述したように、各板部材２２，２３の縁辺が屈曲されていることで、両板部材２２，２３の間には、空間部３０が形成され、両板部材２２，２３の対向面同士が離間されるようになっている。
【００３１】
更に、両板部材２２，２３のうち、右方側（内方側）の板部材２３の円形開口部２９の縁辺が、左方側（外方側）の板部材２２の円形開口部２８の縁辺に向けて水平方向に延設されて当接されている。そして、板部材２３の円形開口部２９の延設された縁辺により嵌合孔２７の内周面が形成されている。
【００３２】
図５に示すように、ブラケット４の突出部２６は、連結部材１０の嵌合孔２７に回動可能に嵌合されており、その先端部が突出部２６の軸方向（水平方向）にかしめられることによって、ブラケット４が連結部材１０に連結されている。なお、突出部２６の先端部と嵌合孔２７の縁辺との間には、リング状のリング部材３１が配置されており、突出部２６の先端部がかしめられていても、突出部２６は、嵌合孔２７内で自在に回動できるようになっている。これら突出部２６及び嵌合孔２７によって、天板５を枢支して回動させる、軸心が水平方向（左右方向）を向く、回動軸９が構成されている。
【００３３】
また、ブラケット４には、前述した下向き片２５と略平行をなして突出部２６及び嵌合孔２７を覆うカバー片３２が設けられている（図８参照）。そして、回動軸９を構成する突出部２６及び嵌合孔２７が、下向き片２５とカバー片３２との間に配置される。このカバー片３２により突出部２６及び嵌合孔２７が外方側から隠蔽されてテーブル１の見栄えを向上させることができる。
【００３４】
図７（ａ）に示すように、連結部材１０を構成する左右の各板部材２２，２３には、前述したロックピン２１が嵌合される上下２つの孔部３３，３４が形成されている。上下の各孔部３３，３４は、左右の各板部材２２，２３おいて互いに対応する位置に形成され、一方の板部材２３の孔部３４の軸心が他方の板部材２２の孔部３３の軸心と同一をなしている。そして、ロックピン２１が連結部材１０の外方側から各孔部３３，３４に脱落不能に嵌合され、更に、ロックピン２１の突出側（一端側）をその軸方向（左右方向）にかしめることによって、ロックピン２１の突出された部位の基部２１ａを膨出させて孔部３４に固定するようになっている。
【００３５】
具体的には、孔部３３，３４に挿通前のロックピン２１は、大きな直径を有する大径部２１ｂと、それよりも若干小さい径を有する中径部２１ｃと、最も小さい直径を有する小径部２１ｄと、を有し、挿通方向に向かって直径が小さくなる態様となっている。ロックピン２１が孔部３３，３４に挿通されると、その中径部２１ｃが内方側（右方側）の板部材２３の孔部３４の内部側の縁辺に係止されるとともに、大径部２１ｂが外方側（左方側）の板部材２２の孔部３３の外部側の縁辺に係止される。
【００３６】
この状態では、小径部２１ｄが連結部材１０の内方側（右方側）に突出されており、この突出された部位をその軸方向（左右方向）にかしめることによって小径部２１ｄの直径がさらに小さくなるとともに、小径部２１ｄの基部２１ａが径方向に膨出されるようになる。そして、この基部２１ａが内方側（右方側）の板部材２３の孔部３４の外部側の縁辺に係止される。この基部２１ａと中径部２１ｃとによりロックピン２１が内方側（右方側）の板部材２３の孔部３４に固定される。
【００３７】
図６に示すように、連結部材１０には、前述した連結杆２の端部が六角ボルト３５により固着されている。連結杆２は、断面視で長円形状をなして内部が中空となっている（図４参照）。その内周には、六角ボルト３５を螺合させる雌ネジ部が形成された固定板３６が溶接されている。
【００３８】
また、連結部材１０には、六角ボルト３５を挿通させるボルト挿通孔３７が形成されており、連結部材１０が脚体３に取り付けられる前に、ボルト挿通孔３７に六角ボルト３５が挿通され、その雄ネジ部が連結杆２の端部の固定板３６の雌ネジ部に螺着される。なお、脚体３には、六角ボルト３５の矩形ヘッドが配置される開口孔３８が形成されるとともに、後述する配置部材４２にも、六角ボルト３５の矩形ヘッドが配置される凹部３９が形成されている。
【００３９】
また、連結部材１０のボルト挿通孔３７が形成される部位は、肉厚が薄い薄肉部１０ｃとなっている。更に、この薄肉部１０ｃ、つまり連結部材１０の連結杆２が螺着される位置に対応する空間部３０に補強板４０が配置される。この補強板４０は、矩形状をなす金属板が屈曲されて断面視で略波型をなし（図７（ｂ）参照）、連結部材１０の幅方向（厚み方向）を向く部位を有する。そして、この屈曲された補強板４０が左右一対の板部材２２，２３の内部面にそれぞれに当接される。
【００４０】
また、補強板４０には、前述した連結杆２を連結するための六角ボルト３５が挿通されるボルト挿通孔４１が形成されている。なお、補強板４０は、左右の板部材２２，２３が接合される前に、内方側（右方側）の板部材２３に溶接等の接合手段により固着される。
【００４１】
次に、脚体３と連結部材１０と連結構造について詳述する。図６に示すように、脚体３は、壁部３ａとこの壁部３ａにより囲まれた中空部３ｂとを有し、断面が矩形状をなす角柱部材となっている。そして、図８に示すように、脚体３の上面には、中空部３ｂに通じる上面開口部３ｃが形成されている。この上面開口部３ｃから中空部３ｂに配置部材４２が挿入されるようになっている。
【００４２】
この配置部材４２には、脚体３の中空部３ｂに挿入される挿入部４３が設けられ、この挿入部４３の上下方向の略中央部と下部には、雌ネジ部材としての六角ナット４４を回動不能に配置するナット配置穴４５が形成されている。また、挿入部４３の下端部は、配置部材４２を上面開口部３ｃから挿入し易いようにラウンドされている。
【００４３】
更に、配置部材４２は、上下の各ナット配置穴４５に六角ナット４４を配置した状態で上面開口部３ｃから挿入される。そして、挿入部４３の外形寸法は、脚体３の内形寸法とほぼ同じとなっており、脚体３の中空部３ｂに挿入された配置部材４２が、ぐらつかないようになっている。
【００４４】
図６及び図８に示すように、配置部材４２の上部は、脚体３の上面開口部３ｃを閉塞する閉塞部４６となっている。閉塞部４６の外形寸法は、脚体３の内形寸法よりも若干大きく形成なっており、配置部材４２の挿入部４３が脚体３の上面開口部３ｃから挿入されたときに、閉塞部４６が上面開口部３ｃの縁辺に係止される。
【００４５】
図８及び図９に示すように、配置部材４２の閉塞部４６は、脚体３の上面開口部３ｃから上方に突出されるとともに、閉塞部４６は、その前側に上方に起立する起立片４６ａを有する側面視略Ｌ字形状をなしている。更に、起立片４６ａの上端はラウンドされている。
【００４６】
図４に示すように、連結部材１０の略中央部と下部には、連結部材１０を脚体３に取り付けるための雄ネジ部材としてのキャップボルト４７（六角穴付ボルト）が挿通されるボルト挿通孔４８が形成されている。図６に示すように、ボルト挿通孔４８は、連結部材１０を構成する左右の板部材２２，２３の互いに対応する位置に開口されている。
【００４７】
なお、内方側（右方側）の板部材２３に形成された上部のボルト挿通孔４８は、外方側（左方側）の板部材２２に形成された上部のボルト挿通孔４８よりも大きく形成されている。上部の各ボルト挿通孔４８に挿通されるキャップボルト４７は、そのヘッド部が内方側（右方側）の板部材２３に形成されたボルト挿通孔４８を通過して連結部材１０の空間部３０内に配置され、外方側（左方側）の板部材２２に形成されたボルト挿通孔４８の縁辺に係止される。また、下部の各ボルト挿通孔４８に挿通されるキャップボルト４７は、連結部材１０の薄肉部１０ｄに配置され、内方側（右方側）の板部材２３に形成されたボルト挿通孔４８の縁辺に係止される。
【００４８】
また、脚体３の前後左右の四方の壁部３ａのうち、内方側（右方側）の壁部３ａには、キャップボルト４７の雄ネジ部が挿通される挿通孔３ｄが形成されている。そして、前述したように、配置部材４２の閉塞部４６が上面開口部３ｃの縁辺に係止されると、配置部材４２の挿入部４３に設けられた上下のナット配置穴４５が、それぞれ脚体３の壁部の上下の挿通孔３ｄに対応する位置に位置決めされるようになっている。
【００４９】
図６に示すように、連結部材１０のボルト挿通孔４８に挿通されたキャップボルト４７は、連結部材１０と、配置部材４２のナット配置穴４５に配置された六角ナット４４と、で脚体３の壁部３ａを挟持した状態で、ナット配置穴４５に配置された六角ナット４４に締結されるようになっている。
【００５０】
図８及び図９に示すように、ブラケット４は、天板５が使用位置にあるときに（図９（ａ）参照）、閉塞部４６を隠蔽し、かつ天板５が折り畳み位置（図９（ｂ）参照）にあるときに、閉塞部４６に近接する、前面側に設けられた前面板４９を有する。この前面板４９は、天板５が使用位置から折り畳み位置に至るまでのいずれの位置にあっても、閉塞部４６を隠蔽または閉塞部４６に近接するようになっているので、前面板４９と閉塞部４６との間に指等が挟まれる虞もなくなる。
【００５１】
なお、前述した閉塞部４６の起立片４６ａの上端は、天板５が折り畳み位置にあるときに、前面板の下端とが近接されるようになっている。更に、前述した天板５の回動軸９は、閉塞部４６の起立片４６ａよりも後方側の位置で連結部材１０に枢支されている。
【００５２】
以上、本実施例における折り畳みテーブル１（家具）にあっては、脚体３は、壁部３ａとこの壁部３ａにより囲まれた中空部３ｂとを有し、この中空部３ｂに、六角ナット４４を回動不能に配置する配置部材４２が挿入されるとともに、壁部３ａに、六角ナット４４に螺合されるキャップボルト４７が挿通される挿通孔３ｄが形成されており、連結杆２の端部に連結されて脚体３の長手方向に延びる連結部材１０に、キャップボルト４７が挿通される挿通孔３ｄが形成され、この連結部材１０と六角ナット４４とで壁部３ａを挟持した状態で、キャップボルト４７が六角ナット４４に締結されることで、キャップボルト４７を締め付けた際に、脚体３の壁部３ａが連結部材１０と六角ナット４４とで挟持されて連結力を向上できるばかりか、キャップボルト４７の締め付けにより中空状の脚体３が潰れたり変形されたりする虞がなくなり、脚体３の挿通孔３ｄ近傍に応力が残留すること防止し、脚体３の耐久性を向上させることができる。
【００５３】
なお、脚体３の内方側の壁部３ａにのみ挿通孔３ｄが形成されるため、脚体３と連結部材１０とを連結するためのキャップボルト４７または六角ナット４４が脚体３の外側方に露呈されずに済み、テーブル１の見栄えを向上させることができる。
【００５４】
また、脚体３の上面には、中空部３ｂに通じる上面開口部３ｃが形成され、この上面開口部３ｃから配置部材４２が中空部３ｂに挿入され、かつこの配置部材４２の上部は、上面開口部３ｃを閉塞する閉塞部４６となっていることで、配置部材４２の閉塞部４６によって、配置部材４２の位置決めを行うことができ、キャップボルト４７の締結作業を行い易くなるばかりか、脚体３の上面開口部３ｃを閉塞して脚体３の見栄えを向上させることができる。
【００５５】
また、閉塞部４６は、上面開口部３ｃから上方に突出されるとともに、ブラケット４は、使用位置から折り畳み位置に至るまで、閉塞部４６を隠蔽または閉塞部４６に近接する前面板４９を有することで、天板５が使用位置から折り畳み位置までのいずれの位置にあっても、ブラケット４の前面板４９によって、閉塞部４６が隠蔽または前面板４９が閉塞部４６に近接されるため、閉塞部４６とブラケット４との間に異物を挟んでしまう虞がなくなる。
【００５６】
また、閉塞部４６は、その前側に上方に起立する起立片４６ａを有する側面視略Ｌ字形状をなし、折り畳み位置にて、起立片４６ａの上端と前面板４９の下端とが近接されることで、天板５が折り畳み位置にあるときに、起立片４６ａと前面板４９との間に異物を挟んでしまう虞がなくなるとともに、起立片４６ａと前面板４９とが一体的に連設される態様となり、脚体３上部周辺の見栄えが向上される。
【００５７】
また、天板５は、起立片４６ａよりも後方側の位置で脚体３に枢支されることで、天板５を枢支する回動軸９（軸心）を構成する部材等（突出部２６及び嵌合孔２７等）を起立片４６ａにより保護することができる。
【００５８】
以上、本発明の実施例を図面により説明してきたが、具体的な構成はこれら実施例に限られるものではなく、本発明の要旨を逸脱しない範囲における変更や追加があっても本発明に含まれる。
【００５９】
例えば、前記実施例では、折り畳みテーブル１に本発明が適用されていたが、本発明は、天板５を回動させる回動軸９を有する折り畳みテーブル１に限らず、天板５が回動しない一般的なテーブルに適用してもよい。
【００６０】
また、前記実施例では、脚体３の内方側の壁部３ａに挿通孔３ｄを形成するようにしているが、脚体３の外方側の壁部３ａに挿通孔を形成して、脚体３の外方側から連結部材１０を連結するようにしてもよい。
【符号の説明】
【００６１】
１                折り畳みテーブル（家具）
２                連結杆
３                脚体
３ａ              壁部
３ｂ              中空部
３ｃ              上面開口部
３ｄ              挿通孔
４                ブラケット
５                天板
９                回動軸
１０              連結部材（ロック手段）
１０ａ            水平面
１０ｂ            薄肉部
１２              ロックレバー（係合手段）
２０              ロック溝
２１              ロックピン（ロック手段）
２１ａ            基部
２２，２３        板部材
２４              水平片
２５              下向き片
２６              突出部
２７              嵌合孔
２８，２９        円形開口部
３０              空間部
３２              カバー片
３３，３４        孔部
４０              補強板
４２              配置部材
４４              六角ナット（雌ネジ部材）
４６              閉塞部
４６ａ            起立片
４７              キャップボルト（雄ネジ部材）
４８              ボルト挿通孔
４９              前面板
【図１】
0005759143.tif 000002
【図２】
0005759143.tif 000003
【図３】
0005759143.tif 000004
【図４】
0005759143.tif 000005
【図５】
0005759143.tif 000006
【図６】
0005759143.tif 000007
【図７】
0005759143.tif 000008
【図８】
0005759143.tif 000009
【図９】
0005759143.tif 000010